(57)【要約】【課題】底側が開放された箱型の収納ユニットを所望する位置に容易に取り付けることができる位置決め保持具及びこれを用いた収納ユニットの取り付け施工方法を提供する。【解決手段】底側が開放された箱型の収納ユニット１０を床面４から所定間隔ｄを隔てて壁面５に取り付けるための位置決め保持具１であって、前記収納ユニットの背板１４の下端部１４ａを保持する背板保持片２を備え、前記背板保持片２は、前記所定間隔ｄを隔てて前記壁面５に沿うようにして取り付け固定される壁固定部２０と、該壁固定部から略垂直方向に突出し前記背板の下端部が載置される背板載置部２１と、該背板載置部から上方向に起立し前記背板の内面１４０側に固定される背板固定部２２とを有していることを特徴とする位置決め保持具。【選択図】図１
2017029488.tif 000002
【特許請求の範囲】
【請求項１】
底側が開放された箱型の収納ユニットを床面から所定間隔を隔てて壁面に取り付けるための位置決め保持具であって、
前記収納ユニットの背板の下端部を保持する背板保持片を備え、
前記背板保持片は、前記所定間隔を隔てて前記壁面に沿うようにして取り付け固定される壁固定部と、該壁固定部から略垂直方向に突出し前記背板の下端部が載置される背板載置部と、該背板載置部から上方向に起立し前記背板の内面側に固定される背板固定部とを有していることを特徴とする位置決め保持具。
【請求項２】
請求項１において、
前記収納ユニットの側板の下端部を保持し、前記背板保持片の一端部から略垂直方向に延出して形成された側板保持片をさらに備え、
前記側板保持片は、前記側板の下端部が載置される側板載置部と、該側板載置部から上方向に起立し前記側板の内面に固定される側板固定部とを有していることを特徴とする位置決め保持具。
【請求項３】
請求項１又は請求項２において、
前記壁固定部は、前記背板載置部より下方向に設けられていることを特徴とする位置決め保持具。
【請求項４】
請求項２又は請求項３に記載の位置決め保持具を用いた収納ユニットの取り付け施工方法であって、
前記位置決め保持具の前記壁固定部を前記床面から前記所定間隔を隔てた位置に固定し、前記収納ユニットを上方向から前記位置決め保持具に嵌め入れ、その後、前記収納ユニットを前記壁面に取り付け固定することを特徴とする収納ユニットの取り付け施工方法。
【発明の詳細な説明】
【技術分野】
【０００１】
本発明は、住居等の建物の玄関土間等に設けられる収納ユニットの位置決め保持具及びこれを用いた取り付け施工方法に関する。
【背景技術】
【０００２】
従来、壁面に吊施工で取り付けられる底側が開放された箱型の収納ユニットが知られている。このような収納ユニットによれば、ゴルフバッグ、釣り道具、ベビーカー、雨具等の屋外で使用されるものをそのまま収納することができる。また室内に設置する場合は、可動ローラが底にある収納ボックスをそのまま収納する等、用途を広げることができる。
【０００３】
このような収納ユニットの施工方法としては、下記特許文献１が挙げられる。下記特許文献１には、断面略Ｌ字状の位置決め部材を床面から所定間隔を隔てた壁面の所定位置に先に取り付け固定した後に、収納ユニットの縦板の下端を位置決め部材の上に載置して順次、取り付け、組み立てていく施工方法が開示されている。
【先行技術文献】
【特許文献】
【０００４】
【特許文献１】特開２０１１−１０３９８９号公報
【発明の概要】
【発明が解決しようとする課題】
【０００５】
しかし、上記特許文献１に開示されているものは、順次、収納ユニットを組み立ていく施工方法であって、箱型に予め組み立てられた収納ユニットを所望する位置に吊り施工するものではない。
【０００６】
本発明は、上記実情に鑑みてなされたものであり、底側が開放された箱型の収納ユニットを所望する位置に容易に取り付けることができる位置決め保持具及びこれを用いた収納ユニットの取り付け施工方法を提供することにある。
【課題を解決するための手段】
【０００７】
上記目的を達成するために、本発明に係る位置決め保持具は、底側が開放された箱型の収納ユニットを床面から所定間隔を隔てて壁面に取り付けるための位置決め保持具であって、前記収納ユニットの背板の下端部を保持する背板保持片を備え、前記背板保持片は、前記所定間隔を隔てて前記壁面に沿うようにして取り付け固定される壁固定部と、該壁固定部から略垂直方向に突出し前記背板の下端部が載置される背板載置部と、該背板載置部から上方向に起立し前記背板の内面側に固定される背板固定部とを有していることを特徴とする。
【０００８】
本発明に係る前記位置決め保持具を用いた収納ユニットの取り付け施工方法は、前記位置決め保持具の前記壁固定部を前記床面から前記所定間隔を隔てた位置に固定し、前記収納ユニットを上方向から前記位置決め保持具に嵌め入れ、その後、前記収納ユニットを前記壁面に取り付け固定することを特徴とする。
【発明の効果】
【０００９】
本発明に係る位置決め保持具及びこれを用いた収納ユニットの取り付け施工方法は、底側が開放された箱型の収納ユニットを所望する位置に容易に取り付けることができる。
【図面の簡単な説明】
【００１０】
【図１】（ａ）〜（ｃ）は本発明の一実施形態に係る位置決め保持具を示す図であり、（ａ）はその斜視図、（ｂ）はその平面図、（ｃ）はその側面図を示している。
【図２】（ａ）及び（ｂ）は同位置決め保持具を用いて収納ユニットを壁面へ取り付ける施工途中を示している。
【図３】（ａ）は同位置決め保持具を用いて収納ユニットを壁面へ取り付ける仮保持状態を示している。
【発明を実施するための形態】
【００１１】
以下に本発明の実施の形態について、図面に基づいて説明する。
以下の実施形態では、収納ユニットを壁面に取り付けた状態を基準として、上下左右前後等その方向を説明し、収納ユニットの棚板が設けられている側を内面、その反対側を外面として説明する。なお、一部の図では、他図に付している詳細な符号の一部を省略している。
【００１２】
本実施形態に係る位置決め保持具１は、底側が開放された箱型の収納ユニット１０を床面４から所定間隔（ｄ・図２（ａ）参照）を隔てて壁面５に取り付けるための位置決め保持具である。位置決め保持具１は、収納ユニット１０の背板１４の下端部１４ａを保持する背板保持片２を備えている。背板保持片２は、所定間隔（ｄ）を隔てて壁面５に沿うようにして取り付け固定される壁固定部２０と、該壁固定部２０から略垂直方向に突出し背板１４の下端部１４ａが載置される背板載置部２１と、該背板載置部２１から上方向に起立し背板１４の内面側に固定される背板固定部２２とを有している。
以下、詳述に説明する。
【００１３】
まずは収納ユニット１０について、図２、図３を参照しながら説明する。
本実施形態における位置決め保持具１を用いて壁面５に取り付け固定される収納ユニット１０は、底側が開放された箱型で構成されており、天板１１と、左右の側板１２，１３と、背板（裏板）１４と、桟木１５と、複数の棚板１６とを備えている。収納ユニット１０は、位置決め保持具１の他、図２（ａ）に示すユニット固定部材１７とで壁面５に取り付け固定されている。
【００１４】
収納ユニット１０の天板１１は、左右方向に長尺な略矩形平板状とされており、側板１２，１３の上端部に架け渡されるようにして固定されている。天板１１の板幅寸法（前後寸法）は、右側に配置された側板１３の板幅寸法と略同寸法とされている。側板１２，１３は、上下方向に長尺な略矩形平板状とされ、側板１２，１３のそれぞれの奥行き寸法が異なるように形成されており、本実施形態のものは、左側に設置される側板１２の奥行き寸法が右側に設置される側板１３の奥行き寸法より、小さく形成されている。側板１２，１３の前方には収納ユニット１０の前方を塞ぐように不図示の扉体を取り付けることができ、この場合、その扉体は側板１３の前端面と面一に収まるように設けることができる。側板１２，１３の互いに対向する対向側面には、棚板１６を受ける複数の棚受部が上下方向に沿って間隔を空けて設けられている。このような棚受部としては、対向側面に設けられたダボ穴に挿入（圧入）されるＬ型や丸型のダボ等を用いることができる。
【００１５】
棚板１６は左右方向に長尺な略矩形平板状とされており、側板１２，１３の間に配設される。棚板１６は可動式、固定式を問わず、その素材は木製であってもよいし、樹脂製であってもよい。桟木１５は、左右方向に長尺な略矩形平板状とされており、地板（底板）がない収納ユニット１０の剛性を補強するために、側板１２，１３の下端部１２ａ，１３ａ間で背板１４の下端部１４ａの内面１４０側に固定されている。背板１４は、上下方向に長尺な略矩形平板状とされ、収納ユニット１０の背面を覆うように配設されている。
【００１６】
次に図１（ａ）〜（ｃ）を参照しながら、位置決め保持具１について説明する。位置決め保持具１は、金属系材料や合成樹脂系材料等から形成され、背板保持片２と、側板保持片３とを備え、図１（ｂ）に示すように平面視において、略Ｌ字状に形成されている。背板保持片２は、収納ユニット１０の背板１４の下端部１４ａを保持し、側板保持片３は、収納ユニット１０の側板１３（１２）の下端部１３ａ（１２ａ）を保持し、側板保持片３は、背板保持片２の一端部から略垂直方向、設置状態においては、壁面５に対して略垂直方向に突出するように延出して形成されている。詳しくは図１（ａ）に示すように背板固定部２２の一端部から略垂直方向に側板固定部３１が連設するように形成されている。
【００１７】
背板保持片２は、壁固定部２０と、背板載置部２１と、背板固定部２２とを有している。壁固定部２０は、床面４から所定間隔ｄを隔てて壁面５に沿うようにして取り付け固定される。壁固定部２０には、適宜間隔を空けてねじ等の固定具６が挿通される挿通孔２０ａが形成されている。背板載置部２１は、壁固定部２０から略垂直方向に突出し、その突出して形成された面の上面には背板１４の下端部１４ａ、具体的には背板１４の下端面が載置される。収納ユニット１０は背板１４の下端部１４ａの内面１４０側に桟木１５が配置されているため、背板載置部２１には、背板１４と桟木１５とが重なり合った状態で載置される（図１（ｃ）参照）。背板載置部２１の奥行き寸法は、背板１４と桟木１５の厚み寸法を考慮して設定される。背板固定部２２は、背板載置部２１から上方向に略垂直に起立し背板１４の内面１４０側（図例のものは桟木１５）に固定される。背板固定部２２には、適宜間隔を空けて固定具６（図３（ａ）参照）が挿通される挿通孔２２ａが形成されている。図例の壁固定部２０は、背板載置部２１より下方向に設けられており、側面視において、図１（ｃ）に示すようにクランク形状とされている。
【００１８】
なお、背板載置部２１の構成は図例に限定されない。例えば、桟木１５の取り付け位置が位置決め保持具１にかからない位置、すなわち背板固定部２２の高さ寸法より上方とされている場合は、背板載置部２１の奥行き寸法は、背板１４の厚み寸法と略同一とされる。またこの場合は、背板１４の下端部１４ａの内面１４０と背板固定部２２とが固定関係になる。
また背板保持片２の形状も図例に限定されない。例えば、壁固定部２０が背板載置部２１から上方向に壁面５に沿うように設けられたものとしてもよい。この場合、背板保持片２は側面視において略Ｕ字形状とされる。
【００１９】
側板保持片３は、側板載置部３０と、側板固定部３１とを有している。側板載置部３０は、側板１３（１２）の下端部１３ａ（１２ａ）が載置される。側板載置部３０の幅寸法は、側板１３（１２）の厚み寸法を考慮して略同一に設定される。側板固定部３１は、側板載置部３０から上方向に起立し側板１３（１２）の内面１３０（１２０）に固定される。側板固定部３１には、適宜間隔を空けて固定具６（図３（ａ）参照）が挿通される挿通孔３１ａが形成されている。
【００２０】
次に、図１〜図３を参照しながら上記構成とされた位置決め保持具１を用いた収納ユニット１０の取り付け施工方法の一例について説明する。本実施形態における位置決め保持具１の壁固定部２０を床面４から所定間隔ｄを隔てた位置に固定し、収納ユニット１０を上方向から位置決め保持具１に嵌め入れ、その後、収納ユニット１０を壁面５に取り付け固定する。以下、詳述する。
【００２１】
まず、位置決め保持具１を壁面５に取り付け固定する。壁面５の所望の位置に位置決め保持具１の壁固定部２０を当て、壁固定部２０の挿通孔２０ａ（図１（ｃ）参照）に固定具６を挿通させ、壁面５に固定具６を捻じ込んで固定していく。図例のものは、１個の収納ユニット１０を２個の位置決め保持具１，１で仮保持するため、壁面５には２個の位置決め保持具１，１を取り付け固定する。位置決め保持具１の取り付け高さ位置は、床面４から所定間隔ｄを隔てた位置とされ、位置決め保持具１，１同士の間隔は収納ユニット１０の幅寸法に応じて設定される。この際、位置決め保持具１の背板載置部２１の上面が水平となるように水準器（水平器）等を用いて適宜、調整して位置設定をするようにしてもよい。また、この壁固定部２０の壁面５への固定態様としては、複数の固定具６によって固定する態様に限定されず、これに代えてもしくはこれに加えて粘着テープ等の粘着材や接着剤によって固定する態様としてもよい。
【００２２】
次に収納ユニット１０を持ち上げ、収納ユニット１０を上方向から（図２（ａ）及び（ｂ）参照）位置決め保持具１に嵌め入れる。このとき、背板載置部２１に収納ユニット１０の背板１４が載置されるように、また側板載置部３０に側板１２（１３）が載置されるように嵌め入れればよい。言い換えると、壁面５と背板固定部２２の間に形成される空間に背板１４の下端部１４ａが嵌り、側板固定部３１に側板１２（１３）の内面１２０（１３０）側が沿う状態となるように嵌め入れればよい。
これにより、収納ユニット１０の背板１４は背板載置部２１に載置され、側板１２（１３）は側板載置部３０に載置される。
【００２３】
次に仮保持状態の収納ユニット１０と位置決め保持具１とを連結し固定する。背板固定部２２の挿通孔２２ａに固定具６を挿通させ、固定具６を桟木１５、背板１４に捻じ込んでいく。側板固定部３１の挿通孔３１ａに固定具６を挿通させ、固定具６を側板１２（１３）に捻じ込んでいく。ここで背板固定部２２と側板固定部３１のいずれを先に固定するかは問わない。このとき、背板１４と桟木１５とが強固に連結されていれば、背板固定部２２の固定具６は背板１４にまで至らなくても、桟木１５と背板固定部２２とが固定状態となればよい。またこのとき、背板固定部２２及び側板固定部３１によって、背板１４の内面１４０側（図例では桟木１５の内面）、側板１２（１３）の内面１２０（１３０）が仮保持されているので、固定具６による固定作業がしやすい。
【００２４】
そして収納ユニット１０を固定具で壁面５に固定する。収納ユニット１０を壁面５に固定する固定具は特に限定されないが、図例のものは適所に設けられた複数のユニット固定部材１７（図２（ａ）参照）に固定具を挿通させて背板１４を貫通し壁面５に捻じ込んで固定する。
【００２５】
以上の構成の位置決め保持具１によれば、収納ユニット１０を壁面５に固定する前に収納ユニット１０の背板１４の下端部１４ａ及び側板１２，１３の下端部１２ａ，１３ａが保持されるので、収納ユニット１０を仮保持状態することができる。よって、収納ユニット１０の取り付け位置の位置決めを容易にすることができる。また収納ユニット１０の背板１４の下端部１４ａ及び側板１２，１３の下端部１２ａ，１３ａが保持されることで、底側が開放された箱型の収納ユニット１０の強度を補強することができる。よって、側板１２，１３が左右に振れることを抑制できる。位置決め保持具１の壁固定部２０は、背板載置部２１より下方向に設けられているので、壁面５の所定位置に位置決め保持具１を予め取り付けた後に、収納ユニット１０を上方向から嵌め入れやすく、また壁面５に位置決め保持具１を固定する際も邪魔するものがなく作業がしやすい。
【００２６】
以上の収納ユニット１０の取り付け施工方法によれば、収納ユニット１０の取り付け位置の位置決めは、所望する位置に位置決め保持具１を取り付けることで行うことができる。よって、収納ユニット１０の取り付け位置の位置決めを容易にすることができる。そして、収納ユニット１０の壁面５への固定時には、位置決め保持具１，１に収納ユニット１０を仮保持させた状態で行うことができるので、作業がし易い。
【００２７】
なお、位置決め保持具１及び収納ユニット１０の形状、構成は図例に限定されるものではない。また施工態様も図例に限定されず、一部据え置き、一部吊り施工とする収納ユニットにも適用することができる。位置決め保持具１は、収納ユニット１０の大きさ、構成等によって適宜寸法が設定され、側板保持片３を備えていないものであってもよく、挿通孔２０ａ，２２ａ，３０ａの個数も適宜、背板保持片２及び側板保持片３の長さ寸法に応じて設定される。収納ユニット１０は図例に限定されず、底側が開放された箱型のものであればよく、扉体や棚板１６の有無、棚板１６の数も限定されるものではなく、縦方向に仕切りがあるものであってもよい。また桟木１５は必須の構成部材ではなく、設置位置も図例に限定されるものでない。収納ユニット１０の固定に用いられるユニット固定部材１７も図例に限定されず、固定される位置も収納ユニットの大きさ等によって適宜変更される。収納ユニット１０を構成する天板１１、側板１２，１３、背板１４等は、木質系材料や合成樹脂系材料を板状に加工した基材に、適宜、合成樹脂シートや突板等の表面化粧シートを貼着した構成としてもよいし、無垢の木材を板状に加工したものとしてもよい。また固定具６もねじに限定されず、釘を打ち込むものとしてもよい。
【符号の説明】
【００２８】
１              位置決め保持具
２              背板保持片
２０            壁固定部
２１            背板載置部
２２            背板固定部
３              側板保持片
３０            側板載置部
３１            側板固定部
４              床面
ｄ              所定間隔
５              壁面
１０            収納ユニット
１２，１３      側板
１２ａ，１３ａ  下端部
１２０，１３０  内面
１４            背板
１４ａ          下端部
１４０          内面
【図１】
2017029488.tif 000003
【図２】
2017029488.tif 000004
【図３】
2017029488.tif 000005